(57)【要約】【課題】回転可能な口金を灯体の端部に設けた灯体回転機構を備えることにより灯体を任意の角度回転可能とし、かつ、所望の位置にて固定可能とする。【解決手段】透光性素材より成る管体の内部に複数個のＬＥＤ素子を配列した灯体と、上記灯体の端部に設けた回転可能な口金を有する灯体回転機構とを備えた照射角度調整式ＬＥＤ照明装置について、灯体を構成する管体にその端部を塞ぐグリップ１５を一体的に取り付け、灯体回転機構２１として、グリップの端部を貫通する貫通口２２及び上記グリップの端部の貫通口を中心とする一定半径の円周上に設けた歯列２３と、上記貫通口回りに回転可能に設けられ、かつ、歯列との係合により、回転位置の位置決めを行う突部２５を有する位置決め部材２６と、上記位置決め部材を口金の操作によって回転させるために、位置決め部材と上記口金の間に設けた連係部２７とを備えて構成する。【選択図】          図５
2014086155.tif 000002
【特許請求の範囲】
【請求項１】
透光性素材より成る管体の内部に複数個のＬＥＤ素子を配列した灯体と、上記灯体の端部に設けた回転可能な口金を有する灯体回転機構とを備えた照射角度調整式ＬＥＤ照明装置であって、
灯体を構成する管体にその端部を塞ぐグリップを一体的に取り付け、
灯体回転機構として、グリップの端部を貫通する貫通口及び上記グリップの端部の貫通口を中心とする一定半径の円周上に設けた歯列と、上記貫通口回りに回転可能に設けられ、かつ、歯列との係合により、回転位置の位置決めを行う突部を有する位置決め部材と、上記位置決め部材を口金の操作によって回転させるために、位置決め部材と上記口金の間に設けた連係部とを備えて構成したことを特徴とする
照射角度調整式ＬＥＤ照明装置。
【請求項２】
グリップは、その端部における貫通口の周囲に円弧状のガイド部を有するとともに、上記貫通口回りに回転可能な範囲を規定するために、上記ガイド部と係合する係合子を、連係部に設けた構成を有している
請求項１記載の照射角度調整式ＬＥＤ照明装置。
【請求項３】
グリップは、端面の形状が長円形状に形成され、かつ、上記長円形状の長軸方向の寸法は管体の直径よりも大きく設定されており、長軸方向の一方において管体の端部を囲むとともに、管軸方向に長く形成した延出部を有しており、上記ガイド部の位置が、管体の管軸に対して延出部の位置と１８０度異なる方向に設定されている
請求項１記載の照射角度調整式ＬＥＤ照明装置。
【発明の詳細な説明】
【技術分野】
【０００１】
本発明は、透光性素材より成る管体の内部に複数個のＬＥＤ素子を配列した灯体と、上記灯体の端部に設けた回転可能な口金を有する灯体回転機構とを具備した照射角度調整式ＬＥＤ照明装置に関するものである。
【背景技術】
【０００２】
ＬＥＤ素子は照明用として非常に広い範囲に使用されており、近年では直管型蛍光灯の形状と端子構造とを備えた照明装置が実用化されるようになっている。このような直管型のＬＥＤ照明装置は、そのまま直管型蛍光灯に置き換えることが可能であり、消費電力の低減、ちらつき解消等の様々な利点があり、急速な普及が期待されている。
【０００３】
しかしながら、この種のＬＥＤ照明装置は、ＬＥＤ素子を多数一列に配列した光源構造を取っており、ＬＥＤ素子の向いている方向が最大輝度、その反対側の方向は最小輝度となり、指向性を呈するので、有効な照射範囲は角度にしておよそ２７０度ほどである。そこで、照射方向の可変機構を備えたものが提案されるようになっており、例えば、特開２００９−４３４４７号の発明は、電極ピンを有する口金いわゆる端子とその取付け具との装着状態を照射させたい方向に一致させて固定する構成を開示している。しかし、同発明の場合、係合する凹部が大きく、数も少ないため調整範囲が制限されるという問題のあることが指摘されている。また、円弧形状の接点とピンとの摺動が必要なことから、接触不良も無視できないと考えられる。
【０００４】
また、ＷＯ２００９／１５４１６２号は、ＬＥＤユニットと口金は軸芯周りの相対回転が許容されていると説明されているが、相対回転を止めることについては記載がなく、使用中に照射方向が変わってしまう可能性を否定できない。特開２０１１−２３３４００号の発明では、照明管と口金部とが相対回転可能に設けられ、その位置決めの手段としてギヤの噛み合い等公知の回転機構が概念的に例示されているだけである。特開２０１２−９３７７号はＬＥＤランプに関する発明として最新のものであり、完成度は最も高いと考えられる。しかしながら、同号の場合は、口金部と結合するジョイント部材に係合凹凸面を形成し、これと係合する爪部を有する立ち上がり状の弾性片を口金部側に設けており、弾性片は片持ち状であるからヘタリや耐久性に問題が残ると考えられる。
【０００５】
【特許文献１】特開２００９−４３４４７号
【特許文献２】ＷＯ２００９／１５４１６２号
【特許文献３】特開２０１１−２３３４００号
【特許文献４】特開２０１２−９３７７号
【発明の開示】
【発明が解決しようとする課題】
【０００６】
本発明は前記の実情に鑑みてなされたもので、その課題は、回転可能な口金を灯体の端部に設けた灯体回転機構を備えることにより灯体を任意の角度回転可能とし、かつ、所望の位置にて固定可能とすることである。また、本発明の他の課題は、調整範囲が大きく、ヘタリや耐久性上の問題を起し難く、実用性の高い照射角度調整式ＬＥＤ照明装置を提供することである。
【課題を解決するための手段】
【０００７】
前記の課題を解決するため、本発明は、透光性素材より成る管体の内部に複数個のＬＥＤ素子を配列した灯体と、上記灯体の端部に設けた回転可能な口金を有する灯体回転機構とを備えた照射角度調整式ＬＥＤ照明装置について、灯体を構成する管体にその端部を塞ぐグリップを一体的に取り付け、灯体回転機構として、グリップの端部を貫通する貫通口及び上記グリップの端部の貫通口を中心とする一定半径の円周上に設けた歯列と、上記貫通口回りに回転可能に設けられ、かつ、歯列との係合により、回転位置の位置決めを行う突部を有する位置決め部材と、上記位置決め部材を口金の操作によって回転させるために位置決め部材と上記口金の間に設けた連係部とを具備して構成するという手段を講じたものである。
【０００８】
本発明は、透光性素材より成る管体の内部に複数個のＬＥＤ素子を配列して形成した灯体を具備する。ＬＥＤ素子は、その発光部が実質的に同じ方向を向くように配列され、灯体の内部に組み込まれ、口金の電極ピンからコードを通じて給電され点灯する構成を有するものとする。なお、本発明を適用可能な灯体の形態としては、直管型蛍光灯と同じ形態のもののほか、円環状のものその他の形態のものがある。
【０００９】
その構成において、本発明の装置は、上記灯体に、端部を塞ぐグリップを取り付け、管体の管軸周りに回転可能な口金を上記グリップに取り付けるための灯体回転機構を備えているものである。グリップは、灯体に取り付けて一体化するものとし、灯体を回転させて照射角度を調整するときには掴んで回転させる部分となるもので、いわばハンドルのような役目を果たす。上記の口金は回転可能と表現されているが、口金はソケットに接続するものであるから、実際に回転させるものはグリップと一体の灯体の方である。
【００１０】
灯体回転機構は、グリップの端部を貫通する貫通口及び上記グリップの端部の貫通口を中心とする一定半径の円周上に設けた歯列と、上記貫通口回りに回転可能に設けられ、かつ、歯列との係合により、回転位置の位置決めを行う突部を有する位置決め部材と、上記位置決め部材を口金の操作によって回転させるために、位置決め部材と上記口金の間に設けた連係部とを具備して構成される。
【００１１】
本発明のＬＥＤ照明装置において、グリップは、その端部における貫通口の周囲に円弧状のガイド部を有するとともに、上記貫通口回りに回転可能な範囲を規定するために、上記ガイド部と係合する係合子を、連係部に設けた構成を有しているものであることが望ましい。上記連係部は、後述する実施形態では、独立した部材として形成されている。しかしながら、口金と一体構造として形成することも可能である。
【００１２】
また、グリップについては、端部の形状が長円形状に形成され、かつ、上記長円形状の長軸方向の寸法は管体の直径よりも大きく設定されており、長軸方向の一方において灯体の端部を囲むとともに、管軸方向に長く形成した延出部を有しており、上記ガイド部の位置が、管体の管軸に対して延出部の位置と１８０度異なる方向に設定されている構成は、好ましいものである。グリップの端面を長円形状に形成することにより方向性が生じ、全周が一様な曲率の円形に対して調整時に指に触覚上の変化を与えられ、例えば、手で操作し易くなるとともに、手探りでもおおよその照射方向を把握することができるという利益も得られる。
【発明の効果】
【００１３】
本発明は以上のように、灯体の端部に設けた回転可能な口金を有する灯体回転機構を備えているので、灯体を任意の角度回転可能とし、かつ、所望の位置にて固定することができるという効果を奏する。また、本発明によれば、一定半径の円周上に設けた歯列と、歯列との係合により、回転位置の位置決めを行う突部を対応する半径の円周上に有するので調整範囲が大きく、ヘタリや耐久性上の問題を起し難く、実用性の高い照射角度調整式ＬＥＤ照明装置を提供することができる。
【発明を実施するための最良の形態】
【００１４】
以下図示の実施形態を参照し、本発明の照射角度調整式ＬＥＤ照明装置１０について、より詳細に説明する。図１は本発明に係る照射角度調整式ＬＥＤ照明装置１０の要部を拡大して示しており、１１は透光性素材より成る管体、１２はＬＥＤ素子であり、基板１３に、その発光部が実質的に同じ方向を向く配列にて取り付けられている。上記ＬＥＤ素子１２を設けた基板１３は、管体１１の内部に設置されており、直管型の灯体１４を構成している。
【００１５】
上記管体１１には、その端部の開口を塞ぐグリップ１５が一体として取り付けられている。また、グリップ１５には口金１６が、後述の如く回転可能に取り付けられる。なお、ＬＥＤ素子１２には、口金１６の電極ピン１７から電極板１８、コード１９を通じて給電され、点灯を可能とした構成を有するものとする。図示の例では、ＬＥＤ素子１２の照射方向は全て同一方向（上向き）に向けて設定されており、よって、図１において上方が最大輝度の方向、図１における下方が最小輝度の方向となる。
【００１６】
図示の例の場合、グリップ１５の端部では、端面の形状が長円形状に形成されており、かつ、上記長円形状の長軸方向の寸法は管体の直径よりも大きく設定されている。この長円形状により長軸方向のグリップ両側面に平面１５ａ、１５ａが平行にあらわれる（図２参照）。さらに、グリップ１５には、長軸方向の一方にて管体１１の端部を囲むように、管軸方向に長く形成した延出部２０が設けられている（図３）。この実施形態において、延出部２０は、ＬＥＤ素子１２が最大輝度となる方向と一致する位置に設けられていることになる。
【００１７】
灯体回転機構２１として、グリップ１５の端部を貫通する貫通口２２及び貫通口２２を中心とする一定半径の円周上に設けた歯列２３を有するグリップ１５の端面２４と、上記貫通口回りに回転可能に設けられ、かつ、歯列２３との係合により、回転位置の位置決めを行う突部２５を対応する半径の円周上に有する位置決め部材２６と、上記位置決め部材２６を口金１６の操作によって回転させるために、位置決め部材２６と上記口金１６の間に設けた連係部２７とを具備している（図５参照）。
【００１８】
図示の例では、突状の筒軸部２８がグリップ１５の長円形状の端面２４に外方へ向けて形成されており、その筒軸部２８の内部が貫通口２２となっている。また、筒軸部２８の外部には一定半径を有する円形の凹所２９が形成されており、この凹所２９の一定半径の円周上にある内周壁に歯列２３が内歯として設けられている。従って、図示の例では、内歯から成る突部２５と、位置決め部材２６の外周に設けられている上記の歯列２３とが係合する。図示の位置決め部材２６は、筒軸部２８を中心軸として回転するように設けられているもので、内筒３０と外筒３１を同軸に組み合わせた二重筒状の部材である。
【００１９】
その内筒３０にて前記筒軸部２８に回転可能に嵌め合わされる一方、外筒３１には前記突部２５が形成されており、その突部２５が凹所２９に嵌り込み、係合して回転するように構成されている。突部２５は一定半径に対応する半径の円周上に１２０度間隔で３箇所設けられており、また、突部２５は内筒３０と数箇所で接続された外筒３１のアーチ状部分３１ａの中央部に設けられている。そして、これらと同じ角度間隔で切欠き部３２が内筒３０の端部に３箇所形成されている。上記切欠き部３２は、連係部２７の円形凹部３４に等角度間隔で３箇所設けられた突起３４ｂと係合し（図６参照）、グリップ１５と口金１６の相対回転力を伝達する。
【００２０】
図示の例では、位置決め部材２６と上記口金１６の間に、連係部２７が独立した部材として設けられている。この連係部２７は、口金１６の枠部３９の内周に嵌合可能な一対の円弧壁３３を有する円板型のもので、中心部に貫通口３４ａを有する円形凹部３４を有している。上記貫通口３４には、前記のコード１９を通すことができ、それを取り囲んで数個の係合爪３５が設けられている（図６）。これら数個の係合爪３５は、前述したグリップ１５の貫通口２２に嵌り込める長さに突出した形状に設けられており、嵌合後、貫通口の内方端部に係合するように構成されている。
【００２１】
さらにまた、グリップ１５は、貫通口２２の周囲におけるその端面２４に、円弧状の溝から成るガイド部３６を有するとともに、上記貫通口回りに回転可能な範囲を規定するために、上記ガイド部３６と係合する係合子３７を、連係部２７に設けた構成を有している（図６）。図示の例において、上記ガイド部３６の位置は、管体１１の管軸に対して延出部２０の位置とは１８０度異なる方向に設定され、円周のほぼ二分の一の範囲に渡っているので、ＬＥＤ素子１２による照射方向を、最大輝度の方向と中心として左右に９０度、合計１８０度回転可能とする。
【００２２】
上記口金１６は、円形状を有する端部３８とそれを取り巻く枠部３９から成る浅い蓋状に形成されているもので、連係部２７と一体に組み立てて用いられる。一体化のために、口金１６と連係部２７にはネジで示された結合具４０のねじ込み口４１、４２が設けられている。かくして、口金１６と連係部２７を結合具４０により一体に組み合せ、歯列２３に突部２５を係合するように位置決め部材２６を筒軸部２８に嵌め合わせ、口金側をその係合爪３５が貫通口２２に嵌め込むようにして、灯体回転機構２１を組み立てることができる。なお、４３は口金周囲に設けた凹凸より成る滑り止めを示す（図７以下を参照のこと）。
【００２３】
このような構成を有する本発明の照射角度調整式ＬＥＤ照明装置１０は、図９に示すように直管型蛍光灯と同じ外観及び接続構造を有して形成することが可能であるから、従来の蛍光灯点灯装置４４を利用してそのソケット４５に取り付けることができる（図９）。なお、図７、図８は本発明の照明装置１０の口金側部分を拡大して示しており、口金１６を回転させてあるが、回転可能なことを分かり易く図示したものである。
【００２４】
図１０において、Ａは本発明の照明装置１０におけるグリップ１５の延出部２０が左側方を向いていることから分かるように、照射方向を図中左側方に調整した例を示す。これに対して、Ｂはグリップ１５を操作して、その延出部２０が右側方を向くように調整した状態を示す。このような調整の際には、ソケット４５に電極ピン１７が差し込まれ、その位置が固定されている口金１６に対して、上記灯体１４の向きを変えれば良いが、本発明の装置１０では、例えば、片手で滑り止め４３を摘み持ち、もう一方の手でグリップ１５を把持して回転させることができるので、より容易に操作することができる。
【００２５】
一方の手で口金１６の滑り止め４３を摘み持ち、もう一方の手でグリップ１５を把持して回転させる操作により、外筒３１のアーチ状部分３１ａの中央部に設けられている突部２５が、アーチ状部分３１ａが弾性変形して、内歯から成る歯列２３の山を乗り越え、歯列２３の次の谷に嵌り込むので、カチッカチッと節度のある位置決め感が得られる。このように構成されている本発明の照明装置１０では、グリップ１５の端面が長円形状に形成され、グリップ両側面に平行な平面１５ａ、１５ａがあって方向性が生じているので、調整時に手で触れると、指の触覚によりグリップ１５の向き、即ち、照明の方向をおおよそ知ることができるので、手で操作し易くなるという利点もある。
【００２６】
さらに、照射角度調整の際に、グリップ１５と口金１６を手で把持して操作すれば良いので、灯体１４に触れる必要がない。管体１１はガラス管又はプラスチック管によって形成されるとともに、内部に配置されるＬＥＤ素子は蛍光灯のようには発熱しないので、長時間点灯しているものに手を触れても熱いために操作できないということはないはずであるが、汚れた手で触れれば管体１１を汚してしまうので、プラスチックを素材とするグリップ１５と口金１６を把持して操作することで、汚れを防止できるということは一つの利点である。また、延出部２０は、例えば、ＬＥＤ素子１２が最大輝度となる方向に設けられるので、延出部２０を、本発明の照射角度調整式ＬＥＤ照明装置１０の向きを示すために利用することができる。
【図面の簡単な説明】
【００２７】
【図１】本発明に係る照射角度調整式ＬＥＤ照明装置の一例を一部拡大して示す側面説明図である。
【図２】同上の装置のグリップの内面を示す説明図である。
【図３】同上の装置のグリップの延出部の内側を示す背面図である。
【図４】同じく口金の外部端面を示す説明図である。
【図５】同じく灯体回転機構を示す外方から見た分解斜視図である。
【図６】同じく灯体回転機構を示す内方から見た分解斜視図である。
【図７】同じく口金の外観により照射角度を示す斜視図である。
【図８】同じく図７を９０度回転させた状態を示す斜視図である。
【図９】照射角度調整式ＬＥＤ照明装置の使用状態を示す説明図である。
【図１０】同じく使用状態に関するもので、Ａは左方向の照射状態、Ｂは右方向の照射状態を示す部分斜視図である。
【符号の説明】
【００２８】
１０  照射角度調整式ＬＥＤ照明装置
１１  管体
１２  ＬＥＤ素子
１３  基板
１４  灯体
１５  グリップ
１６  口金
１７  電極ピン
１８  電極板
１９  コード
２０  延出部
２１  灯体回転機構
２２  貫通口
２３  歯列
２４  端面
２５  突部
２６  位置決め部材
２７  連係部
２８  筒軸部
２９  円形の凹部
３０  内筒
３１  外筒
３２  切欠き部
３３  円弧壁
３４  円形凹部
３５  係合爪
３６  ガイド部
３７  係合子
３８  端部
３９  枠部
４０  結合具
４１、４２  ねじ込み口
【図１】
2014086155.tif 000003
【図２】
2014086155.tif 000004
【図３】
2014086155.tif 000005
【図４】
2014086155.tif 000006
【図５】
2014086155.tif 000007
【図６】
2014086155.tif 000008
【図７】
2014086155.tif 000009
【図８】
2014086155.tif 000010
【図９】
2014086155.tif 000011
【図１０】
2014086155.tif 000012